(57)【要約】【課題】スピーカユニットの取り付けに起因する外形寸法の増大を防止して、小型化を実現することが可能な表示装置を提供する。【解決手段】スピーカユニット１はパネル部３背面に下向きに設けられる。そして、スピーカユニット１の放音面はパネル部３の背面に対して略垂直となるよう構成する。そして、パネル部３の放熱を兼ねるスリット２１は、バックキャビネット２のスピーカユニット１近傍に形成される。スピーカユニット１からの音声は、スリット２１に設けられるルーバ２３から出力される。複数の板から構成されるルーバ２３は、パネル部３の正面側へ向けて傾斜している。【選択図】図６
2008211381.tif 000002
【特許請求の範囲】
【請求項１】
映像を表示するパネル部と、
該パネル部背面に設けられ、放音面が前記パネル部の背面に対して略垂直となるスピーカユニットと、
前記パネル部及びスピーカユニットを収容する筐体と、
該筐体の前記スピーカユニット近傍に形成される開口部と、
該開口部に設けられるルーバと
を備えることを特徴とする表示装置。
【請求項２】
前記ルーバは、
前記パネル部の正面側へ向けて傾斜していることを特徴とする請求項１に記載の表示装置。
【請求項３】
前記ルーバは、
前記開口部に架設され、前記パネル部の正面側へ向けて傾斜する複数の板から構成されることを特徴とする請求項１に記載の表示装置。
【請求項４】
映像を表示するパネル部と、
該パネル部背面に設けられ、該背面と放音面とのなす角が鋭角となるスピーカユニットと、
前記パネル部及びスピーカユニットを収容する筐体と、
該筐体の前記スピーカユニット近傍に形成される開口部と、
該開口部に設けられるルーバと
を備えることを特徴とする表示装置。
【請求項５】
映像を表示するパネル部と、
該パネル部背面に設けられ、該背面と放音面とのなす角が鋭角となるスピーカユニットと、
前記パネル部及びスピーカユニットを収容する筐体と、
前記スピーカユニット近傍にて前記筐体内壁に突設される反射板と、
前記スピーカユニット近傍にて前記筐体に形成される開口部と
を備えることを特徴とする表示装置。
【請求項６】
映像を表示するパネル部と、
該パネル部背面に設けられ、音声の出力方向が前記パネル部正面とは反対方向であるスピーカユニットと、
前記パネル部及びスピーカユニットを収容する筐体と、
前記スピーカユニット近傍にて前記筐体内壁に突設される反射板と、
前記スピーカユニット近傍にて前記筐体に形成される開口部と
を備えることを特徴とする表示装置。
【請求項７】
前記スピーカユニットは、
パネル部背面の下側の左右２カ所に設けられていることを特徴とする請求項１乃至６のいずれか一つに記載の表示装置。
【請求項８】
前記スピーカユニットは、
パネル部背面の上側の左右２カ所に設けられていることを特徴とする請求項１乃至６のいずれか一つに記載の表示装置。
【請求項９】
前記スピーカユニットは、
パネル部背面の左隅及び右隅の略中央付近２カ所に設けられていることを特徴とする請求項１乃至６のいずれか一つに記載の表示装置。
【請求項１０】
前記スピーカユニットから前記パネル部に伝わる振動を吸収するために取り付けられる緩衝部材
を備えることを特徴とする請求項１乃至９のいずれか一つに記載の表示装置。
【請求項１１】
前記スピーカユニットは第１スピーカ及び該第１スピーカを収容するエンクロージャを備え、
前記パネル部正面側にて前記筐体に開口する第２開口部と、
該第２開口部を介して音声を出力する前記第１スピーカとは音域の異なる第２スピーカと
を備えることを特徴とする請求項１乃至１０のいずれか一つに記載の表示装置。
【請求項１２】
前記エンクロージャに開口する第３開口部
をさらに備えることを特徴とする請求項１１に記載の表示装置。
【請求項１３】
前記パネル部正面側にて前記筐体に開口する第４開口部と、
前記第３開口部及び第４開口部を連結する管状の連結管と
を備えることを特徴とする請求項１２に記載の表示装置。
【発明の詳細な説明】
【技術分野】
【０００１】
本発明は、映像を表示する表示装置に関し、特にパネル部の背面にスピーカユニットを設けた表示装置に関する。
【背景技術】
【０００２】
液晶ディスプレイまたはプラズマディスプレイ等の所謂薄型テレビとよばれる表示装置は、スピーカが一体的に取り付けられているものが多い。この一体型のスピーカは表示パネルの下側２カ所、上側２カ所または中段左右の２カ所に前向きに取り付けられ、映像と共に音声をも楽しむことができる。
【０００３】
ところで、このような一体型のスピーカを表示パネルの周囲に取り付けた場合、スピーカの取り付け部分だけ装置の縦または横方向の外寸が増加することになる。このような問題点を解消し小型化を図る技術が開示されている（例えば特許文献１参照）。特許文献１はスピーカの一部を表示パネルの背面側にて重畳させることにより小型化を図っている。
【特許文献１】特開２００６−３１９７２３号公報
【発明の開示】
【発明が解決しようとする課題】
【０００４】
しかしながら、特許文献１に記載の技術では小型化に限度があり、またスピーカからの音が表示パネルにあたり、表示パネルが振動するという問題も発生する。また、近年表示パネルの大型化が進み、これに伴いスピーカも大型化することから、縦及び横方向の外寸も次第に増加するという問題が顕在化してきた。
【０００５】
本発明は斯かる事情に鑑みてなされたものであり、その目的は、スピーカユニットをパネル部背面に設け、放音面をパネル部背面に対して略垂直とし、開口部に設けられるルーバを介して音声を出力することにより、スピーカユニットの取り付けに起因する外形寸法の増大を防止して、小型化を実現することが可能な表示装置を提供することにある。
【０００６】
本発明の他の目的は、スピーカユニットをパネル部背面に設け、音声出力面を後方側とし、筐体内部の反射板を介して開口部から音声を出力することにより、スピーカユニットの取り付けに起因する外形寸法の増大を防止して、小型化を実現することが可能な表示装置を提供することにある。
【０００７】
本発明の他の目的は、パネル部へのスピーカユニットの取り付けを、緩衝部材を介して行うことにより、パネル部に対するスピーカの振動を低減することが可能な表示装置を提供することにある。
【０００８】
本発明の他の目的は、筐体前面の開口を通じて音域の異なる第２スピーカから音声を出力することにより、小型化を確保しつつより再現性豊かな音声を出力することが可能な表示装置を提供することにある。
【０００９】
本発明の他の目的は、エンクロージャの一部を開口させて音を出力することによりさらに、再現性豊かな音声を出力することが可能な表示装置を提供することにある。
【課題を解決するための手段】
【００１０】
本発明に係る表示装置は、映像を表示するパネル部と、該パネル部背面に設けられ、放音面が前記パネル部の背面に対して略垂直となるスピーカユニットと、前記パネル部及びスピーカユニットを収容する筐体と、該筐体の前記スピーカユニット近傍に形成される開口部と、該開口部に設けられるルーバとを備えることを特徴とする。
【００１１】
本発明に係る表示装置は、前記ルーバは、前記パネル部の正面側へ向けて傾斜していることを特徴とする。
【００１２】
本発明に係る表示装置は、前記ルーバは、前記開口部に架設され、前記パネル部の正面側へ向けて傾斜する複数の板から構成されることを特徴とする。
【００１３】
本発明に係る表示装置は、映像を表示するパネル部と、該パネル部背面に設けられ、該背面と放音面とのなす角が鋭角となるスピーカユニットと、前記パネル部及びスピーカユニットを収容する筐体と、該筐体の前記スピーカユニット近傍に形成される開口部と、該開口部に設けられるルーバとを備えることを特徴とする。
【００１４】
本発明に係る表示装置は、映像を表示するパネル部と、該パネル部背面に設けられ、該背面と放音面とのなす角が鋭角となるスピーカユニットと、前記パネル部及びスピーカユニットを収容する筐体と、前記スピーカユニット近傍にて前記筐体内壁に突設される反射板と、前記スピーカユニット近傍にて前記筐体に形成される開口部とを備えることを特徴とする。
【００１５】
本発明に係る表示装置は、映像を表示するパネル部と、該パネル部背面に設けられ、音声の出力方向が前記パネル部正面とは反対方向であるスピーカユニットと、前記パネル部及びスピーカユニットを収容する筐体と、前記スピーカユニット近傍にて前記筐体内壁に突設される反射板と、前記スピーカユニット近傍にて前記筐体に形成される開口部とを備えることを特徴とする。
【００１６】
本発明に係る表示装置は、前記スピーカユニットは、パネル部背面の下側の左右２カ所に設けられていることを特徴とする。
【００１７】
本発明に係る表示装置は、前記スピーカユニットは、パネル部背面の上側の左右２カ所に設けられていることを特徴とする。
【００１８】
本発明に係る表示装置は、前記スピーカユニットは、パネル部背面の左隅及び右隅の略中央付近２カ所に設けられていることを特徴とする。
【００１９】
本発明に係る表示装置は、前記スピーカユニットから前記パネル部に伝わる振動を吸収するために取り付けられる緩衝部材を備えることを特徴とする。
【００２０】
本発明に係る表示装置は、前記スピーカユニットは第１スピーカ及び該第１スピーカを収容するエンクロージャを備え、前記パネル部正面側にて前記筐体に開口する第２開口部と、該第２開口部を介して音声を出力する前記第１スピーカとは音域の異なる第２スピーカとを備えることを特徴とする。
【００２１】
本発明に係る表示装置は、前記エンクロージャに開口する第３開口部をさらに備えることを特徴とする。
【００２２】
本発明に係る表示装置は、前記パネル部正面側にて前記筐体に開口する第４開口部と、前記第３開口部及び第４開口部を連結する管状の連結管とを備えることを特徴とする。
【００２３】
本発明にあっては、筐体内部のパネル部は映像を表示する。スピーカユニットはパネル部背面に設けられる。そして、スピーカユニットの放音面はパネル部の背面に対して略垂直となるよう構成する。そして、パネル部の放熱を兼ねる開口部は、筐体のスピーカユニット近傍に形成される。スピーカユニットからの音声は、開口部に設けられるルーバから出力される。このルーバは、パネル部の正面側へ向けて傾斜させればよい。このスピーカユニットは、パネル部背面の下側または上側の左右２カ所に設けられる。または、このスピーカユニットは、パネル部背面の左隅及び右隅の略中央付近２カ所に設けられる。
【００２４】
本発明にあっては、ルーバは、開口部に架設される。また、複数の板から構成されるルーバは、パネル部の正面側へ向けて傾斜する。
【００２５】
本発明にあっては、スピーカユニットは、パネル部背面に設けられ、背面と放音面とのなす角が９０度よりも小さい鋭角である。この場合も同様に、開口部に設けられるルーバから音声が出力される。さらには、音声の出力方向がパネル部正面とは反対方向である場合、スピーカユニット近傍にて筐体内壁に反射板を突設しておく。この場合、反射板により音声が反射し、スピーカユニット近傍にて筐体に形成される開口部を通じて音声が出力される。
【００２６】
本発明にあっては、緩衝部材は、スピーカユニットからパネル部への振動を吸収させるべく取り付けられる。
【００２７】
本発明にあっては、スピーカユニットは第１スピーカ及びこれを収容するエンクロージャを備える。さらに、第１スピーカとは音域の異なる第２スピーカを用意する。パネル部正面側にて筐体に開口する第２開口部を設け、この第２開口部を介して第２スピーカから音声を出力する。
【００２８】
本発明にあっては、エンクロージャに開口する第３開口部を設ける。第３開口部からは低域音が出力される。
【００２９】
本発明にあっては、パネル正面側にて筐体に開口する第４開口部を設ける。そして、管状の連結管を第３開口部と第４開口部との間で連結する。連結管を通じて正面側に低域音が出力される。
【発明の効果】
【００３０】
本発明にあっては、スピーカユニットはパネル部背面に設けられる。そして、スピーカユニットの放音面はパネル部の背面に対して略垂直となるよう構成する。そして、スピーカユニットからの音声は、開口部に設けられるルーバから出力される。これにより、スピーカユニットが縦または横の外形寸法の増大に影響しないことから、表示装置の小型化を実現することができる。また放熱を兼ねる開口部にルーバを設け音声を出力するので、ユーザに適切に音声が伝達される。
【００３１】
本発明にあっては、ルーバは、開口部に架設され、複数の板から構成されるルーバは、パネル部の正面側へ向けて傾斜する。これにより、放熱機能を維持しつつ、ルーバの正面側への傾斜により、スピーカユニットからの音声を視聴者側へ伝達することが可能となる。
【００３２】
本発明にあっては、スピーカユニットは、パネル部背面に設けられ、背面と放音面とのなす角が９０度よりも小さい鋭角である。この場合も同様に、開口部に設けられるルーバから音声が出力される。さらには、音声の出力方向がパネル部正面に対して反対方向である場合、スピーカユニット近傍にて筐体内壁に反射板を突設しておく。この場合、反射板により音声が反射し、スピーカユニット近傍にて筐体に形成される開口部を通じて音声が出力される。このように、後ろ向きに設置する等、音響設定に応じて、自由なスピーカの設置が可能である。
【００３３】
本発明にあっては、緩衝部材は、スピーカユニットからパネル部への振動を吸収させるべく取り付けられる。これにより、音量が増大した場合でも、パネル部が振動するという事態を回避することが可能となる。
【００３４】
本発明にあっては、スピーカユニットは第１スピーカ及びこれを収容するエンクロージャを備える。さらに、第１スピーカとは音域の異なる第２スピーカを用意する。パネル部正面側にて筐体に開口する第２開口部を設け、この第２開口部を介して第２スピーカから音声を出力する。これにより、縦または横の外形寸法を大きくすることなく例えば高音等の音声を再現することが可能となる。
【００３５】
本発明にあっては、エンクロージャに開口する第３開口部からは低域音が出力される。これにより、小型化を図りつつより再現性を高めることが可能となる。
【００３６】
本発明にあっては、管状の連結管を第３開口部と第４開口部との間で連結する。連結管を通じて正面側に低域音が出力される。これにより、筐体のスペースを有効に利用でき小型化を実現しつつ、より迫力のある音声を再現することが可能となる等、本発明は優れた効果を奏する。
【発明を実施するための最良の形態】
【００３７】
実施の形態１
以下本発明の実施の形態を、図面を参照して説明する。図１は表示装置の組立状態を示す模式的斜視図である。表示装置は前側筐体（以下、フロントキャビネットという）４、後側筐体（以下、バックキャビネットという）２、フロントキャビネット４とバックキャビネット２との間に間挿されるパネル部３、及び、スピーカユニット１、１を含んで構成される。なお、以下では表示装置を液晶ディスプレイであるものとして説明するが、プラズマディスプレイ、有機ＥＬ(electroluminescence)ディスプレイまたはＳＥＤ（Surface-conduction Electron-emitter Display）等の他の薄型ディスプレイであっても良い。
【００３８】
映像を正面側に表示する矩形状のパネル部３は、液晶基板、液晶基板を保持する保持枠体、液晶基板の背面に配置される光学シート、光学シートの背面に配置され複数の蛍光管を保持するバックライトホルダ及びバックライトホルダ（いずれも図示せず）を覆う矩形状のバックライトシールド３３を重ね合わせたものである。バックライトシールド３３の背面には回路基板及び電源基板等の電気部品３１、３１…が取り付けられている。またバックライトシールド３３の背面下側の左右２カ所にはスピーカユニット１、１が取り付けられている。
【００３９】
後述するようにスピーカユニット１の放音面は、バックライトシールド３３の背面に係る平面に略垂直となるよう取り付けられており、スピーカユニット１からの音声は下側に向けて出力される。表示装置の前面に設けられるフロントキャビネット４は、パネル部３の正面視における面積よりも少し小さい面積を有する長方形状の開口を有する。この開口の４方を覆うように、断面視がＬ字型の枠体が形成されている。フロントキャビネット４の４隅には、図示しない係止手段が設けられており、ネジ等によりパネル部３をフロントキャビネット４に固定する。
【００４０】
バックキャビネット２は、所定の高さをもつスピーカユニット１、１及び電気部品３１、３１…を覆うべく、平面視が矩形状で、所定の深さをもつ皿形の形状をなす。バックキャビネット２の正面はパネル部３の正面視における面積よりも大きい面積を有する開口を有する。バックキャビネット２は、パネル部３を間に介在させてフロントキャビネット４に取り付けられる。このようにしてスピーカユニット１が背面に取り付けられたパネル部３はフロントキャビネット４とバックキャビネット２との間に収容される。
【００４１】
図２はスピーカユニット１の取り付け状態を示す斜視図であり、図３はアングルの取り付け状態を示す模式的斜視図である。バックライトシールド３３の背面下側の左右２カ所にはスピーカユニット１、１が、パネル部３の中心から見て対称となる位置に取り付けられている。なお、奥側のスピーカユニット１の参照符号は適宜省略している。スピーカユニット１はアングル５を介在させてバックライトシールド３３に取り付けられている。
【００４２】
図３に示すようにトレイ形状のアングル５は平板部５１、側板部５２、５２、鍔部５５、５５、ネジ穴５６、５６、５６、５６、及び、貫通穴５３、５３、５３、５３を含んで構成される。パネル部３の背面と同一平面上に広がる矩形状の平板部５１の両側端には側板部５２、５２が突設されている。一端が平板部５１に支持される側板部５２の突設方向は、平板部５１に対して略垂直となる方向である。側板部５２の他端には、平板部５１と略平行に矩形状の鍔部５５が延設されている。鍔部５５の上下２カ所にはスピーカユニット１を固定するためのネジ穴５６、５６が設けられている。平板部５１の４隅にはネジ５４、５４、５４、５４を貫通させるための貫通穴５３、５３、５３、５３が設けられている。
【００４３】
バックライトシールド３３の背面には、貫通穴５３、５３、５３、５３と対応する位置に、４つのネジ穴３２、３２、３２、３２が形成されている。アングル５を取り付ける場合は、バックライトシールド３３のネジ穴３２、３２、３２、３２の中心に、貫通穴５３、５３、５３、５３の中心を一致させ、ネジ５４、５４、５４、５４を螺合する。なお、本実施の形態においてはネジ５４及びネジ穴３２の螺合によりアングル５をバックライトシールド３３の背面に取り付ける形態を説明したが、接着剤、またはフック等の適宜の係止手段で固定するようにすればよい。
【００４４】
図２に示すようにスピーカユニット１は、エンクロージャ１４、スピーカ１１、案内板１１１、第２スピーカ１２、第３スピーカ１３、第３開口部１４３、連結管としてのダクト１３１及びフック１４６、１４６、１４６、１４６等を含んで構成される。スピーカ１１を収容するエンクロージャ１４は中空の直方体状をなし、アングル５を介してバックライトシールド３３の背面に固定される。エンクロージャ１４の側面１４２の中段近傍左右には、平面視Ｕの字型のフック１４６、１４６が鍔部５５の延設方向と平行に突設されている。フック１４６は左側の側面１４２に２カ所、右側の側面１４２に２カ所、計４カ所設けられており、ゴムにより周囲が覆われたダンベル状のゴムブッシュ（緩衝部材）５６Ｂ、５６Ｂ、５６Ｂ、５６Ｂに係止される。
【００４５】
エンクロージャ１４のアングル５への取り付けは、ゴムブッシュ５６Ｂをフック１４６へ係止する。そしてゴムブッシュ５６Ｂの中心軸が鍔部５５のネジ穴５６の中心に一致するよう、アングル５の鍔部５５上にエンクロージャ１４を載置する。次いで、図示しないネジをパネル部３の背面側から正面側へ向けてゴムブッシュ５６Ｂ内部を貫通させ、鍔部５５上のネジ穴５６に螺合することで、アングル５の鍔部５５上への固定が完了する。この場合、エンクロージャ１４の底面はアングル５の平板部５１から離れている。これにより、スピーカ１１による振動はゴムブッシュ５６Ｂにより吸収される。
【００４６】
なお、本実施の形態においては緩衝部材としてゴムブッシュ５６Ｂを用いた例を説明したが、これに限るものではない。例えば、ゴムブッシュ５６Ｂに代えて、ドーナツ状のゲル等をフック１４６下面と鍔部５５との間に挿入しても良い。その他、アングル５の鍔部５５、側板部５２及び平板部５１にゴム、スポンジ等を接着剤により貼り付け、平板部５１及び鍔部５５等に直接当接させた状態でスピーカユニット１を固定するようにしても良い。その他、フック１４６を緩衝部材として、弾性をもつ樹脂等により形成するようにしても良い。また、本実施の形態においては、スピーカユニット１の下側がバックライトシールド３３の下側から所定長はみ出す形で取り付けられているが、スピーカユニット１をこれよりも上側の適宜の位置に取り付けても良い。
【００４７】
エンクロージャ１４の底面１４１中央付近には、スピーカ１１が下向きに取り付けられている。このスピーカ１１は、放音面がパネル部３の背面に係る平面に対して略垂直であり、音声は下向きに出力される。エンクロージャ１４の底面１４１のスピーカ１１の左右には、エンクロージャ１４の下側へ向けて、音声を下側へ案内するための案内板１１１、１１１が突設されている。案内板１１１は矩形状をなし、その長手方向が後述するスリットと同方向となるよう延設されている。放音面がパネル部３の背面に係る平面に対して略垂直なスピーカ１１からの音声は案内板１１１の案内に従い下向きに出力される。フロントキャビネット４下側長辺上のスピーカユニット１近傍には、スピーカ１１からの音声をフロントキャビネット４の正面側へ導くための複数の放出孔４１が形成されている。
【００４８】
本実施の形態においては、スピーカ１１は中音域用のスコーカが用いられ、これに加えて、音域の異なる第２スピーカ１２及び第３スピーカ１３が設けられる。以下では第２スピーカ１２を高音域用のツイータ１２、第３スピーカ１３を低音域用のウーハ１３であるものとして説明する。なお、ツイータ１２及びウーハ１３は必ずしも設ける必要はなく、スピーカ１１にフルレンジスピーカを採用するようにしても良い。さらに、上述したスピーカの組み合わせはあくまで一例であり、音域が異なるのであれば、超低音域用のサブウーハ、超高音域用のスーパツイータ、中低音域用のミッドバス等を適宜組み合わせても良い。
【００４９】
ツイータ１２はフロントキャビネット４背面にて、パネル部３の下側左右２カ所に固定されている。フロントキャビネット４の長辺下側左右２カ所には、第２開口部（以下、ツイータ用開口部）４２、４２が形成されており、ツイータ１２は、音声がツイータ用開口部４２を介して正面側へ出力されるよう正面向きに固定される。図４は表示装置下側を示す斜視図である。フロントキャビネット４の下側にはパネル部３正面に対して、長手方向に延びる凹部４５が形成されている。凹部４５はフロントキャビネット４の正面側を開口とし、フロントキャビネット４正面により形成される平面よりも背面側に向けて凹設されている。
【００５０】
フロントキャビネット４正面側右隅の凹部４５にはツイータ用開口部４２が形成されており、左側にはスピーカ１１からの音声を正面側へ出力する放出孔４１が形成され、さらにその左側には、後述する第４開口部（以下、ウーハ用開口部４４）が形成されている。複数の孔からなる放出孔４１、４１、・・・はフロントキャビネット４の凹部４５長手方向にハニカム状にパンチングされている。なお、図示しないが、これらと対称位置である左側には同様にツイータ用開口部４２、放出孔４１及びウーハ用開口部４４が左側から順に中央部にかけて形成されている。図２に示すようにフロントキャビネット４の適宜の箇所にはネジ穴が中心に形成された係止部４６、４６、・・・が正面側から背面側へ向けて突設されている。フロントキャビネット４にバックキャビネット２を重ね合わせ、バックキャビネット２背面側からネジ（図示せず）を挿入し、係止部４６へ螺合することにより取り付けが完了する。
【００５１】
図５はウーハ１３の断面を示す断面図である。スピーカユニット１は密閉型のエンクロージャ１４の一部に、低音共振用のダクト１３１を取り付けた所謂バスレフ型である。エンクロージャ１４の底面１４１隅には第３開口部１４３が設けられている。断面視Ｊ字型の管状のダクト１３１の一端はエンクロージャ１４内部に挿入されている。ダクト１３１は底面１４１から突出し、フロントキャビネット４背面側から正面側に向けて略９０度向きを変えて延設され、その他端はウーハ用開口部４４に臨ませている。
【００５２】
エンクロージャ１４内の低音はダクト１３１を通じてフロントキャビネット４の凹部４５側へ向かい、ウーハ用開口部４４からパネル部３の正面側方向へ出力される。なお、本実施の形態においてはウーハ１３のダクト１３１を、フロントキャビネット４の正面側に位置するウーハ用開口部４４から出力する形態につき説明したが、スピーカ１１と同様にダクト１３１の他端を下向きに設置し、スピーカ１１と同方向である下向きに出力するようにしても良い。その他、ダクト１３１を用いることなく、ウーハ用開口部４４からスピーカ１１と同じく下向きに音声を出力するようにしても良い。
【００５３】
図６は表示装置のスピーカ１１近傍の縦断面を示す縦断面図、図７は表示装置の底面を示す模式的斜視図、図８はルーバの断面の詳細を示す拡大断面図である。スピーカ１１はその放音面がパネル部３の背面により形成される平面に対して略垂直となるよう、すなわち音声の出力方向が下向きとなるようエンクロージャ１４に取り付けられる。スピーカ１１は、ヨーク１１２、マグネット１１３、フレーム１１４、ダンパ１１７、振動板１１０及びエッジ１１５を含んで構成される。ドーナツ状のマグネット１１３にはヨーク１１２が貫通しており、これらの下側にはスカート状のフレーム１１４が下向きに設けられる。
【００５４】
フレーム１１４の上側にはダンパ１１７が架設され、フレーム１１４の先端には、断面視半円形状のエッジ１１５が下向きに周設される。底面視環状のエッジ１１５の内周側には、皿状の振動板１１０が下側に開口させた状態で取り付けられている。底面視円形の振動板１１０はその開口する口径が下側に向けて徐々に大きくなる形状をなしている。本実施の形態においては、この皿状振動板１１０の口径が最も広くなる開口面と同一平面を放音面であるものとして説明する。パネル部３の背面に取り付けられたスピーカユニット１の周囲はフロントキャビネット４及びバックキャビネット２に覆われる。
【００５５】
バックキャビネット２の底面は図６に示すように、パネル部３の背面により形成される平面に対して９０度よりも小さくなるよう所定角度傾斜している。なお、バックキャビネット２の底面を放音面と平行、すなわち、パネル部３の背面により形成される平面に対して略垂直であっても良い。バックキャビネット２の底面には、放熱及び放音を兼ねる開口部（以下、スリットという）２１、２１、・・・がパネル部３の正面側から背面側に向かう方向へ複数形成される。すなわち、底面視においてスリット２１、２１、・・・はパネル部３の背面に係る平面と交差する方向へ複数形成される。スリット２１、２１、・・・はバックキャビネット２底面にてフレーム２２、２２、・・・間に格子状に設けられる。
【００５６】
バックキャビネット２底面のスピーカ１１の下側位置には、ルーバ２３、２３、・・・がスリット２１と交差する方向に架設されている。ルーバ２３はパネル部３の背面長手方向と同方向に延設される矩形状の平板であり、長辺側一側はバックキャビネット２底面にて、スリット２１と交差する方向にて架設されている。断面視においてルーバ２３は長辺側一側から長辺側他側へ向けて、パネル部３の正面側へ向かう方向へ傾斜している。このルーバ２３のバックキャビネット２底面に対する傾斜角度は例えば３０度程度としておけばよい。なお、図７に示すようにルーバ２３、２３、・・・の底面視における左右には放熱用のスリット２１、２１、・・・が縦方向及び横方向に形成されるフレーム２２、２２、・・・によって格子状に形成されている。
【００５７】
スピーカ１１の振動板１１０からの音声は、放音面に対して垂直の向きに出力される。音声はバックキャビネット２底面に向かい、底面に形成されるスリット２１、２１、・・・を経てルーバ２３、２３、・・・の傾斜面により反射され、パネル部３及びフロントキャビネット４の正面側に向けて出力される。なお、上述したスリット２１、フレーム２２及びルーバ２３は、バックキャビネット２底面の対称位置にも、他方のスピーカ１１の放音のため設けられる。また図２に示すようにスピーカ１１からの音声の一部は放出孔４１からも放出される。ルーバ２３は底面視が長方形状のものの他、図７に示すように、底面視が台形状のものであっても良い。台形状のルーバ２３は、バックキャビネット２底面において左右隅へ向かって幅狭となるテーパ状に形成される。すなわち、ルーバ２３における反射面はバックキャビネット２底面の中心側の方が左右端側よりも大きく構成されている。この場合スピーカ１１からの音声はパネル部３正面側の中央付近に向けて出力される。
【００５８】
実施の形態２
実施の形態２は放音面が傾斜している形態に関する。図９は実施の形態２に係るスピーカ１１近傍の縦断面を示す縦断面図である。スピーカ１１は音声の出力方向が下向きではなく、後側に傾けて取り付けられる。図９に示すようにスピーカ１１の放音面と、パネル部３の背面に係る平面との、表示装置中心側のなす角は９０度よりも小さい角度（鋭角）となるようスピーカ１１は傾けて取り付けられる。例えば８０度程度であればよい。スピーカ１１のフレーム１１４の側面は、スピーカ１１が傾斜するようエンクロージャ１４底面に把持される。
【００５９】
この場合、皿状の振動板１１０の口径が最も広くなる開口面たる放音面がパネル部３背面に係る平面に対し、鋭角となる。実施の形態１と同じくスピーカ１１からの音声は放音面に対し垂直に出力される。そしてバックキャビネット２底面に向かう音声は、スリット２１、２１、・・・を経てルーバ２３、２３、・・・により反射される。ルーバ２３により反射された音声はパネル部３の正面側へ向けて放出される。なお、本実施の形態においては、スピーカ１１を傾斜させる例を説明したが、スピーカユニット１自体を傾斜させても良い。この場合でも、スピーカ１１からの音声はルーバ２３により反射され、反射された音声はパネル部３の正面側へ向けて放出される。
【００６０】
本実施の形態２は以上の如き構成としてあり、その他の構成及び作用は実施の形態１と同様であるので、対応する部分には同一の参照番号を付してその詳細な説明を省略する。
【００６１】
実施の形態３
実施の形態３はスピーカユニット１をパネル部３背面の上側左右２カ所に取り付ける形態に関する。図１０は実施の形態３に係る表示装置の組立状態を示す模式的斜視図、図１１は実施の形態３に係るスピーカ１１近傍の縦断面を示す縦断面図である。スピーカユニット１、１はパネル部３の背面であるバックライトシールド３３上の上側左右２カ所に取り付けられている。スピーカ１１は音声が上側へ出力されるよう上向きにエンクロージャ１４に取り付けられている。図１１に示す如くスピーカ１１の放音面はパネル部３の背面に係る平面に略垂直となるよう取り付けられる。
【００６２】
バックキャビネット２の上側のスピーカ１１近傍にはスリット２１、２１、・・・、フレーム２２、２２、・・・及びルーバ２３、２３、・・・が設けられている。スリット２１はパネル部３背面と交差する方向に正面側から背面側へ向けて設けられている。そしてスリット２１と交差する方向へルーバ２３がバックキャビネット２上面のスピーカ１１と対向する位置に架設されている。ルーバ２３は実施の形態１と同じくバックキャビネット２長手方向に延びる矩形状の平板であり、長辺側一側はバックキャビネット２上面に取り付けられている。断面視においてルーバ２３は長辺側一側から長辺側他側へ向けて、パネル部３の正面側へ向かう方向へ傾斜している。このルーバ２３のバックキャビネット２上面に対する傾斜角度は例えば３０度程度としておけばよい。なお、図示しないがエンクロージャ１４はアングル５を介して取り付けるようにしても良い。
【００６３】
図１１に示すようにスピーカ１１からの音声は放音面に対し垂直上側に出力される。そしてバックキャビネット２上面に向かう音声は、スリット２１、２１、・・・を経てルーバ２３、２３、・・・により反射される。ルーバ２３により反射された音声はパネル部３の正面側へ向けて放出される。エンクロージャ１４の上面にはウーハ１３用の第３開口部１４３が設けられており、第３開口部１４３から上側へ向けてダクト１３１が突設している。突設されるダクト１３１は、パネル部３正面側へ向けて９０度折れ曲がり、背面側から正面側に向けて所定長延設される。フロントキャビネット４上側長辺には、ウーハ用開口部４４、４４が対称位置に設けられており、これらの外側の対称位置にはツイータ用開口部４２、４２が設けられている。なお、実施の形態１と同じくウーハ用開口部４４とツイータ用開口部４２との間に放出孔４１を形成しても良い。
【００６４】
パネル部３は、ダクト１３１他端がウーハ用開口部４４と一致するようフロントキャビネット４に取り付けられる。フロントキャビネット４の上側長辺内壁には対称位置にツイータ１２、１２が取り付けられている。ツイータ１２からの音声がツイータ用開口部４２から出力されるよう、同位置に取り付けられる。ツイータ１２及びウーハ１３からの音声は、フロントキャビネット４正面上側のツイータ用開口部４２及びウーハ用開口部４４からそれぞれ出力される。
【００６５】
本実施の形態３は以上の如き構成としてあり、その他の構成及び作用は実施の形態１及び２と同様であるので、対応する部分には同一の参照番号を付してその詳細な説明を省略する。
【００６６】
実施の形態４
実施の形態４は、スピーカユニット１をパネル部３背面の左隅及び右隅の略中央付近２カ所に設けた形態に関する。図１２は実施の形態４に係る表示装置の組立状態を示す模式的斜視図、図１３は実施の形態４に係るスピーカ１１近傍の横断面を示す横断面図である。スピーカユニット１、１はパネル部３の背面であるバックライトシールド３３上の左右隅の中央付近２カ所にそれぞれ取り付けられている。スピーカ１１は音声が横側へ出力されるよう横向きにエンクロージャ１４に取り付けられている。図１３に示す如くスピーカ１１の放音面はパネル部３の背面に係る平面に略垂直となるよう取り付けられる。
【００６７】
バックキャビネット２の横側のスピーカ１１近傍にはスリット２１、２１、・・・、フレーム２２、２２、・・・及びルーバ２３、２３、・・・が設けられている。スリット２１はパネル部３背面と交差する方向に正面側から背面側へ向けて設けられている。そしてスリット２１と交差する方向へルーバ２３がバックキャビネット２横側のスピーカ１１と対向する位置に架設されている。ルーバ２３は実施の形態１と同じくバックキャビネット２側面長手方向に延びる矩形状の平板であり、長辺側一側はバックキャビネット２側面に取り付けられている。断面視においてルーバ２３は長辺側一側から長辺側他側へ向けて、パネル部３の正面側へ向かう方向へ傾斜している。このルーバ２３のバックキャビネット２側面に対する傾斜角度は例えば３０度程度としておけばよい。なお、図示しないがエンクロージャ１４はアングル５を介して取り付けるようにしても良い。
【００６８】
スピーカ１１からの音声は放音面に対し垂直に出力される。そしてバックキャビネット２側面に向かう音声は、スリット２１、２１、・・・を経てルーバ２３、２３、・・・により反射される。ルーバ２３により反射された音声はパネル部３の正面側へ向けて放出される。エンクロージャ１４の側面にはウーハ１３用の第３開口部１４３が設けられており、第３開口部１４３から横側へ向けてダクト１３１が突設している。突設されるダクト１３１は、パネル部３正面側へ向けて９０度折れ曲がり、背面側から正面側に向けて所定長延設される。フロントキャビネット４の各短辺上には、ウーハ用開口部４４、４４が対称位置に設けられており、これらの上側の対称位置にはツイータ用開口部４２、４２がそれぞれフロントキャビネット４短辺上に設けられている。なお、実施の形態１と同じくウーハ用開口部４４とツイータ用開口部４２との間に放出孔４１を形成しても良い。
【００６９】
パネル部３は、ダクト１３１他端がウーハ用開口部４４と一致するようフロントキャビネット４に取り付けられる。フロントキャビネット４の短辺内壁には対称位置にツイータ１２、１２がそれぞれ取り付けられている。ツイータ１２からの音声がツイータ用開口部４２から出力されるよう、同位置に取り付けられる。ツイータ１２及びウーハ１３からの音声は、フロントキャビネット４正面左右短辺のツイータ用開口部４２及びウーハ用開口部４４からそれぞれ出力される。
【００７０】
本実施の形態４は以上の如き構成としてあり、その他の構成及び作用は実施の形態１乃至３と同様であるので、対応する部分には同一の参照番号を付してその詳細な説明を省略する。
【００７１】
実施の形態５
実施の形態５はスピーカ１１を後ろ向きに傾斜させる形態に関する。図１４は実施の形態５に係るスピーカ１１近傍の縦断面を示す縦断面図である。パネル部３の背面下部のバックライトシールド３３上には実施の形態１と同じく、スピーカユニット１のエンクロージャ１４が取り付けられている。実施の形態１ではスピーカ１１の音声の出力方向が下向きとなるようエンクロージャ１４に設けたが、実施の形態５においては、スピーカ１１は、音声が斜め後方であるバックキャビネット２の背面２６と底面２７との間の傾斜面２５に向けて出力されるよう設けられる。これら背面２６、底面２７及び傾斜面２５の内側がバックキャビネット２の内壁を構成する。
【００７２】
図１４に示すようにスピーカ１１の放音面と、パネル部３の背面により形成される平面との、表示装置中心側のなす角は鋭角となるようスピーカ１１は傾けて取り付けられる。この場合、皿状の振動板１１０の口径が最も広くなる開口面たる放音面がパネル部３背面に係る平面に対し、鋭角となる。これは例えば３０度程度であればよい。スピーカ１１のフレーム１１４の側面は、スピーカ１１が傾斜するようエンクロージャ１４に把持される。バックキャビネット２は背面２６、底面２７、傾斜面２５及び反射板２４を含んで構成される。
【００７３】
バックキャビネット２の背面２６と底面２７との間には断面視において放音面と略平行な矩形状の傾斜面２５が形成される。スピーカ１１の近傍である傾斜面２５の内壁には傾斜面に対して所定角度をなして突出する矩形状の反射板２４、２４、・・・が形成されている。底面２７の傾斜面２５近傍の一端には放熱及び放音を兼ねるスリット２１が形成されている。図１５は実施の形態５の表示装置の底面を示す模式的斜視図である。スリット２１、２１、・・・は縦及び横に形成されるフレーム２２、２２、・・・により格子状に形成される。反射板２４は傾斜面２５の長手方向に延設される矩形状をなし、反射板２４にて反射する音声は、底面２７の長手方向に連設されるスリット２１、２１、・・・を介して出力される。
【００７４】
図１４に示すように傾斜面２５から突出する反射板２４は、スピーカ１１からの音声が反射板２４の反射によりスリット２１を介して出力されるような角度とすれば良い。例えば、傾斜面２５と反射板２４とがなす断面視における角度は１２０度程度とすれば良い。この場合、反射板２４にて反射した音声は底面に形成されるスリット２１からフロントキャビネット４下側へ向けて出力され、パネル部３の正面側へ向けて放出されることになる。なお、上述したスピーカユニット１、傾斜面２５、反射板２４及びスリット２１は表示装置の下側左右に対称に設けられる。また、実施の形態３及び４で述べたとおり、本実施の形態におけるスピーカユニット１、傾斜面２５、反射板２４及びスリット２１を表示装置の上側左右２カ所に配置するほか、左隅及び右隅の略中央部に配置するようにしても良い。さらに、スピーカユニット１のパネル部３への取り付けは実施の形態１と同じくアングル５を介して行っても良い。
【００７５】
本実施の形態５は以上の如き構成としてあり、その他の構成及び作用は実施の形態１乃至４と同様であるので、対応する部分には同一の参照番号を付してその詳細な説明を省略する。
【００７６】
実施の形態６
実施の形態６はスピーカ１１を後ろ向きに取り付ける形態に関する。図１６は実施の形態６に係るスピーカ１１近傍の縦断面を示す縦断面図である。パネル部３の背面下部のバックライトシールド３３上には実施の形態１と同じく、スピーカユニット１のエンクロージャ１４が取り付けられている。実施の形態１ではスピーカ１１の音声の出力方向が下向きとなるようエンクロージャ１４に設けたが、実施の形態６においては、スピーカ１１は、音声が後方であるバックキャビネット２の背面２６と底面２７との間の傾斜面２５に向けて出力されるよう設けられる。
【００７７】
図１６に示すようにスピーカ１１の放音面と、パネル部３の背面により形成される平面とは略平行となるようスピーカ１１は背面向きに取り付けられる。すなわち、スピーカユニット１はスピーカ１１の音声出力方向がパネル部３の正面とは反対に向かう方向となるようパネル部３背面に固定される。エンクロージャ１４はその背面が開口しており、スピーカ１１のフレーム１１４側面を把持している。バックキャビネット２は実施の形態５と同じく背面２６、底面２７、傾斜面２５及び反射板２４を含んで構成される。
【００７８】
バックキャビネット２の背面２６と底面２７との間には断面視において所定角度傾斜する矩形状の傾斜面２５が形成される。スピーカ１１の近傍である傾斜面２５の内面には傾斜面に対して所定角度をなして突出する矩形状の反射板２４、２４、・・・が形成されている。底面２７の傾斜面２５近傍の一端には放熱及び放音を兼ねるスリット２１が形成されている。スピーカ１１からの音声は傾斜面２５上の反射板２４へ向けて放出される。反射板２４にて反射した音声は底面に形成されるスリット２１からフロントキャビネット４下側へ向けて出力され、パネル部３の正面側へ向けて放出されることになる。なお、上述したスピーカユニット１、傾斜面２５、反射板２４及びスリット２１は表示装置の下側左右に対称に設けられる。また、実施の形態３及び４で述べたとおり、本実施の形態におけるスピーカユニット１、傾斜面２５、反射板２４及びスリット２１を表示装置の上側左右２カ所に配置するほか、左隅及び右隅の略中央部に配置するようにしても良い。さらに、スピーカユニット１のパネル部３への取り付けは実施の形態１と同じくアングル５を介して行っても良い。
【００７９】
本実施の形態６は以上の如き構成としてあり、その他の構成及び作用は実施の形態１乃至５と同様であるので、対応する部分には同一の参照番号を付してその詳細な説明を省略する。
【図面の簡単な説明】
【００８０】
【図１】表示装置の組立状態を示す模式的斜視図である。
【図２】スピーカユニットの取り付け状態を示す斜視図である。
【図３】アングルの取り付け状態を示す模式的斜視図である。
【図４】表示装置下側を示す斜視図である。
【図５】ウーハの断面を示す断面図である。
【図６】表示装置のスピーカ近傍の縦断面を示す縦断面図である。
【図７】表示装置の底面を示す模式的斜視図である。
【図８】ルーバの断面の詳細を示す拡大断面図である。
【図９】実施の形態２に係るスピーカ近傍の縦断面を示す縦断面図である。
【図１０】実施の形態３に係る表示装置の組立状態を示す模式的斜視図である。
【図１１】実施の形態３に係るスピーカ近傍の縦断面を示す縦断面図である。
【図１２】実施の形態４に係る表示装置の組立状態を示す模式的斜視図である。
【図１３】実施の形態４に係るスピーカ近傍の横断面を示す横断面図である。
【図１４】実施の形態５に係るスピーカ近傍の縦断面を示す縦断面図である。
【図１５】実施の形態５の表示装置の底面を示す模式的斜視図である。
【図１６】実施の形態６に係るスピーカ近傍の縦断面を示す縦断面図である。
【符号の説明】
【００８１】
１      スピーカユニット
２      バックキャビネット
３      パネル部
４      フロントキャビネット
５      アングル
１１    スピーカ
１２    ツイータ
１３    ウーハ
１４    エンクロージャ
２１    スリット
２２    フレーム
２３    ルーバ
２４    反射板
２５    傾斜面
２６    背面
２７    底面
３１    電気部品
３３    バックライトシールド
４１    放出孔
４２    ツイータ用開口部
４４    ウーハ用開口部
４５    凹部
５１    平板部
５２    側板部
５３    貫通穴
５５    鍔部
５６    ネジ穴
５６Ｂ  ゴムブッシュ
１３１  ダクト
１４３  第３開口部
１４６  フック
１１５  エッジ
１１０  振動板
１１２  ヨーク
１１３  マグネット
１１４  フレーム
１１７  ダンパ
【図１】
2008211381.tif 000003
【図２】
2008211381.tif 000004
【図３】
2008211381.tif 000005
【図４】
2008211381.tif 000006
【図５】
2008211381.tif 000007
【図６】
2008211381.tif 000008
【図７】
2008211381.tif 000009
【図８】
2008211381.tif 000010
【図９】
2008211381.tif 000011
【図１０】
2008211381.tif 000012
【図１１】
2008211381.tif 000013
【図１２】
2008211381.tif 000014
【図１３】
2008211381.tif 000015
【図１４】
2008211381.tif 000016
【図１５】
2008211381.tif 000017
【図１６】
2008211381.tif 000018